(57)【要約】【課題】本発明は、鼻当てパッドを備えない眼鏡フレームであっても、顔の大きさの違いに対応することができ、固定力が十分発揮できる眼鏡フレームを提供すること。【解決手段】鼻当てパッドを備えない鼻当てパッド無し眼鏡フレーム１であって、眼鏡フレームを顔に固定するための支持部材３がテンプル２に取り付けられ、該支持部材３がテンプル２の長手方向に移動可能であり、支持部材３の位置が調整自在になっている鼻当てパッド無し眼鏡フレーム１。【選択図】図２
2009090733.tif 000002
【特許請求の範囲】
【請求項１】
鼻当てパッドを備えない鼻当てパッド無し眼鏡フレームであって、
眼鏡フレームを顔に固定するための支持部材がテンプルに取り付けられ、該支持部材がテンプルの長手方向に移動可能であり、支持部材の位置が調整自在になっていることを特徴とする鼻当てパッド無し眼鏡フレーム。
【請求項２】
前記支持部材が、基部と、顔と直接当接する頬骨当てパッド部と、基部と頬骨当てパッド部とを連結する連結杆とよりなり、基部がテンプル内を摺動可能であり、支持部材の位置が調整自在になっていることを特徴とする請求項１記載の鼻当てパッド無し眼鏡フレーム。
【請求項３】
前記支持部材が、基部と、顔と直接当接する頬骨当てパッド部と、基部と頬骨当てパッド部を連結する連結杆とよりなり、テンプルには外部に開口する断面矩形の長溝が形成され、該長溝の一部が当て板により塞がれることによりスリットが形成され、連結杆がスリットに挿通された状態で基部が前記断面矩形の長溝に沿って摺動可能であり、支持部材の位置が調整自在になっていることを特徴とする請求項１記載の鼻当てパッド無し眼鏡フレーム。
【請求項４】
前記支持部材が、基部と、顔と直接当接する頬骨当てパッド部と、基部と頬骨当てパッド部を連結する連結杆とよりなり、テンプルに断面矩形の第１長講が形成され、該第１長溝に案内用内枠が嵌め込まれ、該案内用内枠には断面矩形の第２長溝と該第２長講から外部に開口されたスリットが形成され、連結杆がスリットに挿通された状態で基部が前記断面矩形の長溝に沿って摺動可能であり、支持部材の位置が調整自在になっていることを特徴とする請求項１記載の鼻当てパッド無し眼鏡フレーム。
【請求項５】
前記支持部材が、基部と、顔と直接当接する頬骨当てパッド部と、基部と頬骨当てパッド部を連結する連結杆とよりなり、テンプルには断面矩形の長溝と該長講から外部に開口されたスリットとが形成され、連結杆がスリットに挿通された状態で基部が前記断面矩形の長溝に沿って摺動可能であり、支持部材の位置が調整自在になっていることを特徴とする請求項１記載の鼻当てパッド無し眼鏡フレーム。
【請求項６】
前記支持部材が、基部と、顔と直接当接する頬骨当てパッド部と、基部と頬骨当てパッド部を連結する連結杆とよりなり、テンプルに断面略長円形の長溝と該長講から外部に開口されたスリットが形成され、連結杆がスリットに挿通された状態で基部が前記断面略長円形の長溝に沿って摺動可能であり、支持部材の位置が調整自在になっていることを特徴とする請求項１記載の鼻当てパッド無し眼鏡フレーム。
【請求項７】
前記支持部材が、基部と、顔と直接当接する頬骨当てパッド部と、基部と頬骨当てパッド部を連結する連結杆とよりなり、テンプルには貫通長孔が形成され、基部が該貫通長孔を介して外部装飾部にねじ止めされており、テンプルに沿って摺動可能であり、支持部材の位置が調整自在になっていることを特徴とする請求項１記載の鼻当てパッド無し眼鏡フレーム。
【請求項８】
前記連結杆が基部から突出し、更にテンプルの後方へと曲げられ、更に下方へと曲げられていることを特徴とする請求項２記載の鼻当てパッド無し眼鏡フレーム。
【請求項９】
鼻当てパッドを備えない眼鏡フレームにおける眼鏡支持方法であって、耳に保持されるモダン部を支点とする下方回動モーメントが、テンプルに取り付けられた該テンプルに沿って移動可能な支持部材によって頬骨に支持されていることを特徴とする眼鏡支持方法。
【発明の詳細な説明】
【技術分野】
【０００１】
本発明はテンプルに取り付けられる、フロント部固定用の頬当てパッドを備える鼻当てパッド無し眼鏡フレームに関する。
【背景技術】
【０００２】
従来の一般的な眼鏡フレームはフロント部と、二本のテンプルとからなり、これらのテンプルはフロント部の両側に設けられているブラケット（「ヨロイ」ともいう）に蝶番などの継手を介して折り畳み自在に取り付けられている。
フロント部は各レンズを固定するためのリムと、該リム同士を連結するためのブリッジとよりなる。
また、リムの内側（中央側）には鼻当てパッドが取り付けられている。【０００３】
ところで、眼鏡を掛ける場合には、鼻当てパッド（ノーズパット）を鼻の両脇に当てると共に、テンプルの後端部に設けられたモダン部を耳に掛止させる。
このとき、フロント部の全重量は鼻当てパッドを介して鼻（詳しくは鼻骨）に加わる。そのため、長時間にわたって眼鏡を着用していると、鼻当てパッドが接触している部分が赤く変色して接触痕が付いたり、或いは、女性の場合、化粧落ちが生じたりする。このような接触痕や、化粧落ちは、顔正面に現れるため、極力回避する必要がある。【０００４】
この問題点を解決するために、近年、特許文献１または特許文献２に記載されているような鼻当てパッドを用いない特殊な眼鏡フレームが開発されている。
特許文献１に記載されている眼鏡フレームは、鼻当てパッドの代わりにこまかみで眼鏡を支持するためのパッドを備えており、このパッドはモダンの挿入口に差し込まれた板バネの先端に取り付けられている。
この板バネは眼鏡フレームの内方に向かって湾曲しており、眼鏡が着用された際には、着用者のこめかみに対して適度な圧力が加わるようになっている。【０００５】
一方、特許文献２には、テンプルにパッドを有する固定式アームを取り付け、アームの屈曲角度を調整することにより、パッドの位置を合わせることができる、サイドパット眼鏡フレームが開示されている。
【特許文献１】特開２００３−１２１８００号公報
【特許文献２】特開２００６−７２２７５号公報
【発明の開示】
【発明が解決しようとする課題】
【０００６】
しかしながら、上記特許文献に記載されているような眼鏡フレームでは、パッドの位置が固定されているため、着用者の顔の大きさに対応できず、眼鏡を支持する力を十分発揮できない。
具体的には、ちょっとした顔の動きにより固定力が弱まり、パッドの位置がずれたり、極端には眼鏡フレーム全体が顔から外れたりする。【０００７】
本発明は以上の問題点を解決すべく開発されたものである。
すなわち、鼻当てパッドを備えない眼鏡フレームであっても、顔の大きさの違いに対応することができ、固定力が十分発揮できる眼鏡フレームを提供することを目的とする。
【課題を解決するための手段】
【０００８】
本発明者は、以上のような技術的背景をもとに鋭意研究を重ねた結果、意外にも顔を支持する部分を移動可能にすることで、上記の問題点を解決できることを見出し、その知見に基づいて本発明を完成させたものである。【０００９】
すなわち本発明は、（１）、鼻当てパッドを備えない鼻当てパッド無し眼鏡フレームであって、眼鏡フレームを顔に固定するための支持部材がテンプルに取り付けられ、該支持部材がテンプルの長手方向に移動可能であり、支持部材の位置が調整自在になっている鼻当てパッド無し眼鏡フレームに存する。【００１０】
また本発明は、（２）、前記支持部材が、基部と、顔と直接当接する頬骨当てパッド部と、基部と頬骨当てパッド部とを連結する連結杆と、よりなり、基部がテンプル内を摺動可能であり、支持部材の位置が調整自在になっている上記（１）記載の鼻当てパッド無し眼鏡フレームに存する。【００１１】
また本発明は、（３）、前記支持部材が、基部と、顔と直接当接する頬骨当てパッド部と、基部と頬骨当てパッド部を連結する連結杆とよりなり、テンプルには外部に開口する断面矩形の長溝が形成され、該長溝の一部が当て板により塞がれることによりスリットが形成され、連結杆がスリットに挿通された状態で基部が前記断面矩形の長溝に沿って摺動可能であり、支持部材の位置が調整自在になっている上記（１）記載の鼻当てパッド無し眼鏡フレームに存する。【００１２】
また本発明は、（４）、前記支持部材が、基部と、顔と直接当接する頬骨当てパッド部と、基部と頬骨当てパッド部を連結する連結杆とよりなり、テンプルに断面矩形の第１長講が形成され、該第１長溝に案内用内枠が嵌め込まれ、該案内用内枠には断面矩形の第２長溝と該第２長講から外部に開口されたスリットが形成され、連結杆がスリットに挿通された状態で基部が前記断面矩形の長溝に沿って摺動可能であり、支持部材の位置が調整自在になっている上記（１）記載の鼻当てパッド無し眼鏡フレームに存する。【００１３】
また本発明は、（５）、前記支持部材が、基部と、顔と直接当接する頬骨当てパッド部と、基部と頬骨当てパッド部を連結する連結杆とよりなり、テンプルには断面矩形の長溝と該長講から外部に開口されたスリットとが形成され、連結杆がスリットに挿通された状態で基部が前記断面矩形の長溝に沿って摺動可能であり、支持部材の位置が調整自在になっている上記（１）記載の鼻当てパッド無し眼鏡フレームに存する。【００１４】
また本発明は、（６）、前記支持部材が、基部と、顔と直接当接する頬骨当てパッド部と、基部と頬骨当てパッド部を連結する連結杆とよりなり、テンプルに断面略長円形の長溝と該長講から外部に開口されたスリットが形成され、連結杆がスリットに挿通された状態で基部が前記断面略長円形の長溝に沿って摺動可能であり、支持部材の位置が調整自在になっている上記（１）記載の鼻当てパッド無し眼鏡フレームに存する。【００１５】
また本発明は、（７）、前記支持部材が、基部と、顔と直接当接する頬骨当てパッド部と、基部と頬骨当てパッド部を連結する連結杆とよりなり、テンプルには貫通長孔が形成され、基部が該貫通長孔を介して外部装飾部にねじ止めされており、テンプルに沿って摺動可能であり、支持部材の位置が調整自在になっていることを特徴とする請求項１記載の鼻当てパッド無し眼鏡フレームに存する。【００１６】
また本発明は、（８）、前記連結杆が基部から突出し、更にテンプル２の後方へと曲げられ、更に下方へと曲げられている上記（２）記載の鼻当てパッド無し眼鏡フレームに存する。【００１７】
また本発明は、（９）、鼻当てパッドを備えない眼鏡フレームにおける眼鏡支持方法であって、耳に保持されるモダン部を支点する下方回動モーメントが、テンプルに取り付けられた該テンプルに沿って移動可能な支持部材によって頬骨に支持されている眼鏡支持方法に存する。【００１８】
なお、本発明の目的に添ったものであれば上記の発明を適宜組み合わせた構成も採用可能である。
【発明の効果】
【００１９】
本発明の眼鏡フレームにおいては、支持部材が眼鏡に加わる下方回動モーメントが確実に頬骨にて支えられる。
また支持部材がテンプルの長手方向に移動可能であり、その位置が調整自在になっていることから、着用者の顔の大きさに応じて自由に対応できる。
しかも支持部材を着用者の頬骨の好適な位置に当接することができ、的確な且つ安定した固定力が発揮される。
従って他から力が加わった場合にも、その位置ズレが防止される。
【発明を実施するための最良の形態】
【００２０】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。【００２１】
（眼鏡支持方法）
本発明の眼鏡フレームにおいては、通常、眼鏡フレームのフロント部にある鼻当てパッドは備わってない。
すなわち、本発明の眼鏡フレームは鼻当てパッド無し眼鏡フレームである。
本発明の鼻当てパッド無し眼鏡フレームは鼻当てパッドを備えない代わりに、支持部材（この場合、頬骨当てパッド）がテンプルに取り付けられており、該支持部材が頬骨に当接することにより支持される。
また支持部材はテンプルに沿って移動可能であり、前後方向に位置調整自在となっている。【００２２】
図１は、鼻当てパッド無し眼鏡フレーム（ノーズパッドレス眼鏡フレーム）における眼鏡支持方法の原理を説明する図である。
ただし図１において位置Ｐは、モダン部と着用者の耳との接点である。
図１に示すように、レンズを含むフロント部の重量Ｆ１が下方に作用することにより、位置Ｐのまわりの回転モーメント（下方回動モーメント）はＦ１×Ｌ１となる。
この下方回動モーメントを、支持部材における上向きの支持力Ｆ２による回転モーメントＦ２×Ｌ２で支えるのである。【００２３】
支持部材３の位置は移動により変更できるため、着用者毎に異なる顔の大きさに柔軟に対応することができる。
ちなみに、２点鎖線で示すように、支持部材の位置が、前方に移動した場合は、支持部材により支える力（パッド支持力）は減少する。
逆に支持部材の位置が、後方に移動した場合は、支持部材により支える力（パッド支持力）は増加する。【００２４】
このように、耳に保持されるモダン部を支点とする下方回動モーメントが、テンプル２に沿って位置調整自在な支持部材によって頬骨に支持されることにより、眼鏡フレームが顔の大きさに対応でき、的確且つ安定した固定力が得られる。【００２５】
（第１の実施形態）
図２は、本発明の第１の実施形態にかかる鼻当てパッド無し眼鏡フレームを示した斜視図である。
本実施形態の鼻当てパッド無し眼鏡フレーム１のフロント部は、レンズ１１と、該レンズ１１を固定するリム１２（この場合、レンズ周囲全体を囲むフルリムを示す）とよりなり、リム１２はその両端にブラケット１２ａを備え、且つ中央にブリッジ１２ｂを備える。【００２６】
後端にモダン部Ｍが設けられたテンプル２は、ブラケット１２ａを介してリム１２に回動可能に取り付けられており、該テンプル２には支持部材３がテンプル２に沿って移動可能に取り付けられている。
支持部材３は、長板状の基部３１と、顔との接触圧を緩和するための頬骨当てパッド部３３と、基部３１と頬骨当てパッド部３３とを連結する連結杆３２とよりなる（図３参照）。
以下、この支持部材３について更に述べる。【００２７】
図３は、図２の鼻当てパッド無し眼鏡フレーム１における支持部材を拡大して示した説明図であり、  図３（Ａ）はテンプルに支持部材を取り付けた状態を示す拡大斜視図、  図３（Ｂ）は支持部材が取り付けられたテンプルの断面図、  図３（Ｃ）は支持部材を示す斜視図である。【００２８】
支持部材３は平板状の基部３１から突出した線状の連結杆３２を有し、該連結杆３２の端部には顔に直接当接する頬骨当てパッド部３３が備わっている。
この場合、連結杆３２は、基部３１から突出し、更にテンプル２の後方へと曲げられ、更に下方へと曲げられており、上下方向及び左右方向の弾圧性が付与される。
なお、頬骨当てパッド部３３は連結箱体３２ａ（この連結箱体３２ａと連結杆３２とを箱足、又はクリングスとも言う）を介してある程度傾きが変えられるように連結杆３２の端部に取り付けられているため、自由度を持った動きができる。【００２９】
一方、テンプル２には外部に開口する断面矩形の長溝Ｇが形成されており、該長溝Ｇの一部が当て板２２により塞がれることによりスリットＳが形成される。
すなわち、長溝Ｇを上から間隔を開けた一対の当て板２２、２２で覆うことで、テンプル２の長さ方向のスリットＳが形成されている。
この例では、一対の当て板の間にスリットＳを形成したが、スリットが形成されている一枚の当て板を使うことも可能である。【００３０】
尚、当て板２２はテンプル２にネジ止め等により取り付けられるが、テンプル２及び当て板２２が合成樹脂材である場合は両部材を接着により、またテンプル２及び当て板２２が金属材である場合は、両部材を溶接により取り付けることができる。
スリットＳの幅は、支持部材３の連結杆３２が挿通可能な大きさに形成されている。【００３１】
ところで基部３１は連結杆３２をスリットＳに挿通させた状態で、断面矩形の長溝Ｇに沿って摺動することが可能である。
そして基部３１が長溝Ｇにやや締まり気味状態で嵌め込まれることで、基部３１が長溝Ｇに沿って摺動する際により大きな抵抗力（すなわち摩擦力）が生じる。
このことにより、支持部材３は適当な位置で停止されると、一定の抵抗力を維持して固定し、テンプル２の長さ方向に調整自在となる。すなわち、頬骨当てパッド部３３の固定位置がテンプル２の長さ方向に調整自在となる。【００３２】
本発明の鼻当てパッド無し眼鏡フレーム１は、このような構造であるので、顔の大きさ（頬骨の位置）が着用者によって異なるとしても、支持部材３の位置、すなわち着用者の頬骨の位置と、頬骨当てパッド部３３の位置との相対的な位置関係を調整することが可能である。
従って、着用者の顔の大きさに係わらず、頬当てパッド３３を常に最適な頬骨の位置に当接させることができる。
このように頬骨当てパッド部３３が最適な位置で頬骨に支持されるので、モダン部Ｍを耳に掛けた状態では、頬骨当てパッド部３３により、眼鏡フレームは頬骨に的確に且つ安定して固定される。【００３３】
（第２の実施形態）
第２の実施形態はスリットＳの形成方法の点で、第１の実施形態と異なっている。以下、第２の実施形態における支持部材３とテンプル２との結合構造について説明する。【００３４】
図４は、本発明の第２の実施形態の鼻当てパッド無し眼鏡フレーム１における支持部材を拡大して示した図であり、図４（Ａ）はテンプルに支持部材を取り付けた状態を示す斜視図、図４（Ｂ）は支持部材が取り付けられたテンプルの断面図、図４（Ｃ）は支持部材を示す斜視図である。【００３５】
図４に示すように、本実施形態のテンプル２には開口された断面矩形の第１長溝Ｇ１が形成されている。
この第１長溝Ｇ１には支持部材３を摺動可能に案内するための案内用内枠２１が嵌め込まれて固定される。【００３６】
案内用内枠２１の内部には、断面矩形の第２長溝Ｇ２が案内用内枠２１の内部を刳り貫いて形成されている。
更に、案内用内枠２１には外部に開口されたスリットＳが第２長溝Ｇ２と連通するように形成されている。【００３７】
この第２の実施形態の支持部材３も、第１の実施形態の支持部材と同様の形状をしており、長板状の基部３１と、頬骨当てパッド部３３と、連結杆３２と、を備えている。
基部３１が第２長溝Ｇ２に摺動可能に嵌め込まれることで、支持部材３を案内用内枠２１に沿って移動させることができる。
すなわち本実施形態においても、基部３１は第２長溝Ｇ２にやや締まり気味状態で嵌め込まれており、支持部材３の位置は基部３１と長溝Ｇとの間で生じる摩擦力によって固定される。
またこの第２の実施形態においては、案内用内枠２１の大きさを選択することにより、スリットの長さ等が容易に変更できる。
また、補強ブロックにより壁厚が増すためテンプル自体が補強される利点もある。【００３８】
（第３の実施形態）
第３の実施形態は、当て板や案内用内枠を使わない点で、第１の実施形態及び第２の実施形態と異なっている。
以下、第３の実施形態における、支持部材３とテンプル２との結合構造について説明する。【００３９】
図５は、本発明の第３の実施形態の鼻当てパッド無し眼鏡フレームにおける支持部材を拡大して示した図であり、図５（Ａ）はテンプルに支持部材が取り付けられた状態を示す斜視図、図５（Ｂ）は支持部材が取り付けられたテンプルの断面図、図５（Ｃ）は支持部材を示す斜視図である。【００４０】
図５に示すように、テンプル２には断面矩形の長溝Ｇがその内部を刳り貫いて形成されており、且つテンプル２には外部に開口されたスリットＳが長溝Ｇに連通するように形成されている。【００４１】
この第３の実施形態の支持部材３も、第１の実施形態の支持部材と同様の形状しており、基部３１と、頬骨当てパッド部３３と、連結杆３２と、を備えている。
また、本実施形態においても基部３１は長溝Ｇにやや締まり状態で嵌め込まれており、支持部材３の位置は基部３１と長溝Ｇとの間で生じる摩擦力によって固定される。
またこの第２の実施形態においては、他の実施形態に較べて部品点数が少ないため、組み付けが簡単である。【００４２】
（第４の実施形態）
第４の実施形態は、テンプル３に形成された長溝Ｇの断面形状が第３の実施形態と異なっている。
以下、第４の実施形態における、支持部材３とテンプル２との結合構造について説明する。【００４３】
図６は、本発明の第４の実施形態の鼻当てパッド無し眼鏡フレーム１における支持部材を拡大して示した図であり、  図６（Ａ）はテンプルに支持部材が取り付けられた状態を示す斜視図、  図６（Ｂ）は支持部材が取り付けられたテンプルの断面図、  図６（Ｃ）は支持部材を示す斜視図である。【００４４】
図６に示すように、本実施形態のテンプル２の内部には、断面略長円形の長溝Ｇがテンプル２の内部を刳り貫いて形成されている。
また、テンプル２には外部に開口されたスリットＳが、長溝Ｇと連通するように形成されている。【００４５】
支持部材３は断面略長円形で柱状の基部３１と、連結杆３２と、頬骨当てパッド部３３と、を備えており、基部３１は長溝Ｇにやや締まり状態で嵌め込まれる。
そのため、支持部材３は長溝Ｇとの間に適度な摩擦力を生じさせながら、長溝Ｇ内を移動する。
この場合、テンプル２の長溝Ｇの断面を円形とし、それに合わせて支持部材３の断面を円形とすることも当然可能である。【００４６】
（第５の実施形態）
第５の実施形態は、支持部材３とテンプル２との結合構造において、他の実施形態とは異なる。
以下、第５の実施形態における、支持部材３とテンプル２との結合構造について説明する。【００４７】
図７は、本発明の第５の実施形態にかかる鼻当てパッド無し眼鏡フレーム１を示した斜視図である。
この鼻当てパッド無し眼鏡フレーム１のフロント部は、レンズ１１と、レンズ１１を固定するリム１２（この場合、レンズ周囲の半分を囲むフルリムを示す）と、よりなり、リム１２は両端にブラケット１２ａを備え、且つ中央にブリッジ１２ｂを備える。【００４８】
またテンプル２は、ブラケット１２ａを介してリム１２に回動可能に取り付けられており、テンプル２には支持部材３が取り付けられている。支持部材３は、基部３１と、顔に直接当接する頬骨当てパッド部３３と、基部３１と頬骨当てパッド部３３とを連結する連結杆３２と、よりなる。
この支持部材３はテンプル２に沿って移動可能となっているため、その位置は調整自在となっている。【００４９】
図８は、図７の鼻当てパッド無し眼鏡フレーム１における支持部材を拡大して示した説明図であり、図８（Ａ）はテンプルに支持部材が取り付けられた状態を示す斜視図、図８（Ｂ）はその展開図、図８（Ｃ）はその断面図を示す。【００５０】
図８に示すように、本実施形態のテンプル２には貫通長孔Ｇ３が形成されている。
本実施形態においても支持部材３は平板状の基部３１から突出した連結杆３２を有し、該連結杆３２の端部には顔との接触圧を緩和するための頬骨当てパッド部３３が備わっている。【００５１】
一方、テンプル２を挟んで支持部材３と反対側には、支持部材３をテンプル２に固定するための外部装飾部３ａが取り付けられる。
外部装飾部３ａには一対のボス３ａ１が形成されており、支持部材３は貫通長孔Ｇ３に入り込んだボス３ａ１にネジ等によって固定される。
このとき、ボス３ａ１の高さはテンプル２の厚みよりも短く低く設計されている。
ボス３ａ１をこのような高さに設計することで、テンプル２を支持部材３と基部３１との間で強く挟み込むことができ、また挟み力をネジの締め具合によりに調整できる。
ここで、ボスを外部装飾部３ａではなく基板３１の方に形成することも可能である。
この第５の実施の形態では、支持部材３を取り付けるための支持部材３が外側に露出するため、に外部装飾部３ａを利用して種々の装飾性を付与することができる。【００５２】
以上、本発明をその一実施形態を例に説明したが、本発明は上述した実施形態のみに限定されるものではなく、種々の変形が可能である。
例えば、基部と長孔との摩擦力（抵抗力）により頬当てパッド部を停止固定させた例で示したが、連結杆の太さとスリットの幅により摩擦力を発生させることも可能である。
すなわち、スリットの幅よりも連結杆の径を太くすることにより、両者間で摩擦力を発揮することができる。
また、支持部材としてはテンプルに沿って移動可能であり、支持部材の位置が調整自在になるものであれば、その移動のための構造は適宜変更可能である。
また、テンプル及び支持部材の素材は、本発明の作用効果を発揮できるためのものであれば、適宜選択自在である。
また眼鏡フレームとしては、フルリム（図２）、ハーフリム（図７）を例に挙げて示したが、リムレス眼鏡の場合にも、顔の側面に当接するテンプルが備わっている眼鏡フレームにも当然適用可能である。
【産業上の利用可能性】
【００５３】
本発明は、頬骨当てパッドを備える支持部材が、テンプル方向に移動し、その位置が調整自在になっている鼻当てパッド無し眼鏡フレームに関するものであるが、その原理を利用する限り種々の鼻当てパッド無し眼鏡フレームにも適用可能である。
【図面の簡単な説明】
【００５４】
【図１】図１は、鼻当てパッド無し眼鏡フレームにおける眼鏡支持方法の原理を説明する図である。
【図２】図２は、本発明の第１の実施形態にかかる鼻当てパッド無し眼鏡フレームを示した斜視図である。
【図３】図３は、図２の鼻当てパッド無し眼鏡フレームにおける支持部材を拡大して示した説明図であり、図３（Ａ）はテンプルに支持部材を取り付けた状態を示す拡大斜視図、図３（Ｂ）は支持部材が取り付けられたテンプルの断面図、（図３Ｃ）は支持部材を示す斜視図である。
【図４】図４は、本発明の第２の実施形態の鼻当てパッド無し眼鏡フレームにおける支持部材を拡大して示した図であり、図４（Ａ）はテンプルに支持部材を取り付けた状態を示す斜視図、図４（Ｂ）は支持部材が取り付けられたテンプルの断面図、図４（Ｃ）は支持部材を示す斜視図である。
【図５】図５は、本発明の第３の実施形態の鼻当てパッド無し眼鏡フレームにおける支持部材を拡大して示した図であり、図５（Ａ）はテンプルに支持部材が取り付けられた状態を示す斜視図、図５（Ｂ）は支持部材が取り付けられたテンプルの断面図、図５（Ｃ）は支持部材を示す斜視図である。
【図６】図６は、本発明の第４の実施形態の鼻当てパッド無し眼鏡フレームにおける支持部材を拡大して示した図であり、図６（Ａ）はテンプルに支持部材が取り付けられた状態を示す斜視図、図６（Ｂ）は支持部材が取り付けられたテンプルの断面図、図６（Ｃ）は支持部材を示す斜視図である。
【図７】図７は、本発明の第５の実施形態にかかる鼻当てパッド無し眼鏡フレームを示した斜視図である。
【図８】図８は、図７の鼻当てパッド無し眼鏡フレームにおける支持部材を拡大して示した説明図であり、図８（Ａ）はテンプルに支持部材が取り付けられた状態を示す斜視図、図８（Ｂ）はその展開図、図８（Ｃ）はその断面図を示す。
【符号の説明】
【００５５】
１…鼻当てパッド無し眼鏡フレーム
１１…レンズ
１２…リム
１２ａ…ブラケット
１２ｂ…ブリッジ
２…テンプル
２１…案内用内枠
２２…当て板
３…支持部材
３１…基部
３２…連結杆
３２ａ…連結箱体
３３…頬骨当てパッド部
３ａ…外部装飾部
３ａ１…ボス
Ｇ…長溝
Ｇ１…第１長溝
Ｇ２…第２長溝
Ｇ３…貫通長孔
Ｍ…モダン部
Ｓ…スリット
【図１】
2009090733.tif 000003
【図２】
2009090733.tif 000004
【図３】
2009090733.tif 000005
【図４】
2009090733.tif 000006
【図５】
2009090733.tif 000007
【図６】
2009090733.tif 000008
【図７】
2009090733.tif 000009
【図８】
2009090733.tif 000010
【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
鼻当てパッドを備えない鼻当てパッド無し眼鏡フレームであって、
眼鏡フレームを顔に固定するための支持部材がテンプルに取り付けられ、該支持部材がテンプルの長手方向に移動可能であり、支持部材の位置が調整自在になっていることを特徴とする鼻当てパッド無し眼鏡フレーム。
【請求項２】
前記支持部材が、基部と、顔と直接当接する頬骨当てパッド部と、基部と頬骨当てパッド部とを連結する連結杆とよりなり、基部がテンプル内を摺動可能であり、支持部材の位置が調整自在になっていることを特徴とする請求項１記載の鼻当てパッド無し眼鏡フレーム。
【請求項３】
前記支持部材が、基部と、顔と直接当接する頬骨当てパッド部と、基部と頬骨当てパッド部を連結する連結杆とよりなり、テンプルには外部に開口する断面矩形の長溝が形成され、該長溝の一部が当て板により塞がれることによりスリットが形成され、連結杆がスリットに挿通された状態で基部が前記断面矩形の長溝に沿って摺動可能であり、支持部材の位置が調整自在になっていることを特徴とする請求項１記載の鼻当てパッド無し眼鏡フレーム。
【請求項４】
前記支持部材が、基部と、顔と直接当接する頬骨当てパッド部と、基部と頬骨当てパッド部を連結する連結杆とよりなり、テンプルに断面矩形の第１長溝が形成され、該第１長溝に案内用内枠が嵌め込まれ、該案内用内枠には断面矩形の第２長溝と該第２長溝から外部に開口されたスリットが形成され、連結杆がスリットに挿通された状態で基部が前記断面矩形の長溝に沿って摺動可能であり、支持部材の位置が調整自在になっていることを特徴とする請求項１記載の鼻当てパッド無し眼鏡フレーム。
【請求項５】
前記支持部材が、基部と、顔と直接当接する頬骨当てパッド部と、基部と頬骨当てパッド部を連結する連結杆とよりなり、テンプルには断面矩形の長溝と該長溝から外部に開口されたスリットとが形成され、連結杆がスリットに挿通された状態で基部が前記断面矩形の長溝に沿って摺動可能であり、支持部材の位置が調整自在になっていることを特徴とする請求項１記載の鼻当てパッド無し眼鏡フレーム。
【請求項６】
前記支持部材が、基部と、顔と直接当接する頬骨当てパッド部と、基部と頬骨当てパッド部を連結する連結杆とよりなり、テンプルに断面略長円形の長溝と該長溝から外部に開口されたスリットが形成され、連結杆がスリットに挿通された状態で基部が前記断面略長円形の長溝に沿って摺動可能であり、支持部材の位置が調整自在になっていることを特徴とする請求項１記載の鼻当てパッド無し眼鏡フレーム。
【請求項７】
前記支持部材が、基部と、顔と直接当接する頬骨当てパッド部と、基部と頬骨当てパッド部を連結する連結杆とよりなり、テンプルには貫通長孔が形成され、基部が該貫通長孔を介して外部装飾部にねじ止めされており、テンプルに沿って摺動可能であり、支持部材の位置が調整自在になっていることを特徴とする請求項１記載の鼻当てパッド無し眼鏡フレーム。
【請求項８】
前記連結杆が基部から突出し、更にテンプルの後方へと曲げられ、更に下方へと曲げられていることを特徴とする請求項２記載の鼻当てパッド無し眼鏡フレーム。
【請求項９】
鼻当てパッドを備えない眼鏡フレームにおける眼鏡支持方法であって、耳に保持されるモダン部を支点とする下方回動モーメントが、テンプルに取り付けられた該テンプルに沿って移動可能な支持部材によって頬骨に支持されていることを特徴とする眼鏡支持方法。
【国際調査報告】
2009090733.tif 000011
2009090733.tif 000012
2009090733.tif 000013
2009090733.tif 000014